【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
地震データに基づく震源及び受振器の波動場を計算するステップと；
前記震源及び受振器の波動場から特徴的な震源の波動場及び特徴的な受振器の波動場を計算するステップと；
前記特徴的な震源の波動場及び前記特徴的な受振器の波動場の伝播角度を１次の波動方程式の特徴的な解法を用いて計算するステップと；
前記特徴的な震源の波動場及び前記特徴的な受振器の波動場に波動場分解アルゴリズムを適用して対応する指向性のある震源及び受振器の波動場を取得するステップであって、前記波動場分解アルゴリズムは、波動場の伝播角度を中心とする角度間隔で前記波動場の波動場振幅を分解する、ステップと；
前記取得した指向性のある震源及び受振器の波動場にイメージ条件を適用することによって、角度ドメイン共通画像ギャザー（ＡＤＣＩＧ）を形成するステップと；を備える、
方法。
【請求項２】
前記震源及び受振器の波動場は、時間ドメイン波動方程式解法を用いて計算される、
請求項１に記載の方法。
【請求項３】
前記震源及び受振器の波動場は、周波数ドメイン波動方程式解法を用いて計算される、
請求項１に記載の方法。
【請求項４】
前記ＡＤＣＩＧは、リバースタイムマイグレーション（ＲＴＭ）プロセスを用いて形成される、
請求項１に記載の方法。
【請求項５】
前記特徴的な震源の波動場及び前記特徴的な受振器の波動場は、複数の予め定義された時間ステップに対して１次の音波方程式伝播モデルを用いて計算される、
請求項１に記載の方法。
【請求項６】
前記特徴的な震源の波動場及び前記特徴的な受振器の波動場は、複数の予め定義された時間ステップに対して２次の音波方程式伝播モデルを用いて計算される、
請求項１に記載の方法。
【請求項７】
前記特徴的な震源の波動場は、前記特徴的な震源の波動場の前記伝播角度で、他のいかなる角度での絶対振幅よりも大きい絶対振幅を有し、前記特徴的な受振器の波動場は、前記特徴的な受振器の波動場の前記伝播角度で、他のいかなる角度での絶対振幅よりも大きい絶対振幅を有する、
請求項１に記載の方法。
【請求項８】
前記角度間隔は１度、５度、又は１５度である、
請求項１に記載の方法。
【請求項９】
前記イメージ条件は、相互相関イメージング条件である、
請求項１に記載の方法。
【請求項１０】
前記ＡＤＣＩＧは散乱角ギャザー（ＳＡＧ）である、
請求項１に記載の方法。
【請求項１１】
前記ＡＤＣＩＧは傾斜角ギャザー（ＤＡＧ）である、
請求項１に記載の方法。
【請求項１２】
メモリと；
操作を実行するように構成される処理部であって、前記操作は、
地震データに基づく震源及び受振器の波動場を計算する操作と；
前記震源及び受振器の波動場から特徴的な震源の波動場及び特徴的な受振器の波動場を１次の波動方程式の特徴的な解法を用いて計算する操作と；
前記特徴的な震源の波動場及び前記特徴的な受振器の波動場の伝播角度を計算する操作と；
前記特徴的な震源の波動場及び前記特徴的な受振器の波動場に波動場分解アルゴリズムを適用して対応する指向性のある震源及び受振器の波動場を取得する操作であって、前記波動場分解アルゴリズムは、前記波動場の伝播角度を中心とする角度間隔で波動場の波動場振幅を分解するアルゴリズムである、操作と；
前記取得した指向性のある震源及び受振器の波動場にイメージ条件を適用することにより、角度ドメイン共通画像ギャザー（ＡＤＣＩＧ）を形成する操作と；を備える、前記処理部と；を備える、
デバイス。
【請求項１３】
前記震源及び受振器の波動場は、時間ドメイン波動方程式解法を用いて計算される、
請求項１２に記載のデバイス。
【請求項１４】
前記震源及び受振器の波動場は、周波数ドメイン波動方程式解法を用いて計算される、
請求項１２に記載のデバイス。
【請求項１５】
前記ＡＤＣＩＧは、リバースタイムマイグレーション（ＲＴＭ）プロセスを用いて形成される、
請求項１２に記載のデバイス。
【請求項１６】
前記特徴的な震源の波動場及び前記特徴的な受振器の波動場は、複数の予め定義された時間ステップに対して１次の音波方程式伝播モデルを用いて計算される、
請求項１２に記載のデバイス。
【請求項１７】
前記特徴的な震源の波動場及び前記特徴的な受振器の波動場は、複数の予め定義された時間ステップに対して２次の音波方程式伝播モデルを用いて計算される、
請求項１２に記載のデバイス。
【請求項１８】
前記特徴的な震源の波動場は、前記特徴的な震源の波動場の前記伝播角度で、他のいかなる角度での絶対振幅よりも大きい絶対振幅を有し、前記特徴的な受振器の波動場は、前記特徴的な受振器の波動場の前記伝播角度で、他のいかなる角度での絶対振幅よりも大きい絶対振幅を有する、
請求項１２に記載のデバイス。
【請求項１９】
前記角度間隔は１度、５度、又は１５度である、
請求項１２に記載のデバイス。
【請求項２０】
操作を実行するためにコンピュータシステムによって実行可能な命令を格納する、非一時的なコンピュータ読取可能媒体であって、前記操作は、
地震データに基づく震源及び受振器の波動場を計算する操作と；
前記震源及び受振器の波動場から特徴的な震源の波動場及び特徴的な受振器の波動場を１次の波動方程式の特徴的な解法を用いて計算する操作と；
前記特徴的な震源の波動場及び前記特徴的な受振器の波動場の伝播角度を計算する操作；
前記特徴的な震源の波動場及び前記特徴的な受振器の波動場に波動場分解アルゴリズムを適用して対応する指向性のある震源及び受振器の波動場を取得する操作であって、前記波動場分解アルゴリズムは、前記波動場の伝播角度を中心とする角度間隔で波動場の波動場振幅を分解するアルゴリズムである、操作と；
前記取得した指向性のある震源及び受振器の波動場にイメージ条件を適用することにより、角度ドメイン共通画像ギャザー（ＡＤＣＩＧ）を形成する操作と；を備える、
非一時的なコンピュータ読取可能媒体。
【手続補正２】
【補正対象書類名】明細書
【補正対象項目名】０１０５
【補正方法】変更
【補正の内容】
【０１０５】
さらには、請求された任意の実施は、少なくとも、コンピュータにより実施される方法、非一時的なコンピュータ読取可能媒体、及びコンピュータシステムに適用可能であると考えられ、非一時的なコンピュータ読取可能媒体は、コンピュータにより実施される方法を実行するコンピュータにより読取可能な命令を格納し、またコンピュータシステムは、ハードウェアプロセッサに相互に動作可能に結合されたコンピュータメモリを含み、ハードウェアプロセッサは、非一時的なコンピュータ読取可能媒体に格納されたコンピュータにより実施される方法又は命令を実行するように構成される。
以下、本発明の実施の態様の例を列挙する。
［第１の局面］
地震データに基づく震源及び受振器の波動場を計算するステップと；
前記震源及び受振器の波動場から特徴的な震源の波動場及び特徴的な受信機の波動場を計算するステップと；
前記特徴的な震源の波動場及び前記特徴的な受信機の波動場の伝播角度を計算するステップと；
前記特徴的な震源の波動場及び前記特徴的な受信機の波動場に波動場分解アルゴリズムを適用して対応する指向性のある震源及び受振器の波動場を取得するステップであって、前記波動場分解アルゴリズムは、波動場の伝播角度を中心とする角度間隔で前記波動場の波動場振幅を分解する、ステップと；
前記取得した指向性のある震源及び受振器の波動場にイメージ条件を適用することによって、角度ドメイン共通画像ギャザー（ＡＤＣＩＧ）を形成するステップと；を備える、
方法。
［第２の局面］
前記震源及び受振器の波動場は、時間ドメイン波動方程式解法を用いて計算される、
第１の局面に記載の方法。
［第３の局面］
前記震源及び受振器の波動場は、周波数ドメイン波動方程式解法を用いて計算される、
第１の局面に記載の方法。
［第４の局面］
前記ＡＤＣＩＧは、リバースタイムマイグレーション（ＲＴＭ）プロセスを用いて形成される、
第１の局面に記載の方法。
［第５の局面］
前記特徴的な震源の波動場及び前記特徴的な受信機の波動場は、複数の予め定義された時間ステップに対して１次の音波方程式伝播モデルを用いて計算される、
第１の局面に記載の方法。
［第６の局面］
前記特徴的な震源の波動場及び前記特徴的な受信機の波動場は、複数の予め定義された時間ステップに対して２次の音波方程式伝播モデルを用いて計算される、
第１の局面に記載の方法。
［第７の局面］
前記特徴的な震源の波動場は、前記特徴的な震源の波動場の前記伝播角度で、他のいかなる角度での絶対振幅よりも大きい絶対振幅を有し、前記特徴的な受振器の波動場は、前記特徴的な受振器の波動場の前記伝播角度で、他のいかなる角度での絶対振幅よりも大きい絶対振幅を有する、
第１の局面に記載の方法。
［第８の局面］
前記角度間隔は１度、５度、又は１５度である、
第１の局面に記載の方法。
［第９の局面］
前記イメージ条件は、相互相関イメージング条件である、
第１の局面に記載の方法。
［第１０の局面］
前記ＡＤＣＩＧは散乱角ギャザー（ＳＡＧ）である、
第１の局面に記載の方法。
［第１１の局面］
前記ＡＤＣＩＧは傾斜角ギャザー（ＤＡＧ）である、
第１の局面に記載の方法。
［第１２の局面］
メモリと；
操作を実行するように構成される処理部であって、前記操作は：
地震データに基づく震源及び受振器の波動場を計算する操作と；
前記震源及び受振器の波動場から特徴的な震源の波動場及び特徴的な受信機の波動場を計算する操作と；
前記特徴的な震源の波動場及び前記特徴的な受信機の波動場の伝播角度を計算する操作と；
前記特徴的な震源の波動場及び前記特徴的な受信機の波動場に波動場分解アルゴリズムを適用して対応する指向性のある震源及び受振器の波動場を取得する操作であって、前記波動場分解アルゴリズムは、前記波動場の伝播角度を中心とする角度間隔で波動場の波動場振幅を分解するアルゴリズムである、操作と；
前記取得した指向性のある震源及び受振器の波動場にイメージ条件を適用することにより、角度ドメイン共通画像ギャザー（ＡＤＣＩＧ）を形成する操作と；を備える、前記処理部と；を備える、
デバイス。
［第１３の局面］
前記震源及び受振器の波動場は、時間ドメイン波動方程式解法を用いて計算される、
第１２の局面に記載のデバイス。
［第１４の局面］
前記震源及び受振器の波動場は、周波数ドメイン波動方程式解法を用いて計算される、
第１２の局面に記載のデバイス。
［第１５の局面］
前記ＡＤＣＩＧは、リバースタイムマイグレーション（ＲＴＭ）プロセスを用いて形成される、
第１２の局面に記載のデバイス。
［第１６の局面］
前記特徴的な震源の波動場及び前記特徴的な受信機の波動場は、複数の予め定義された時間ステップに対して１次の音波方程式伝播モデルを用いて計算される、
第１２の局面に記載のデバイス。
［第１７の局面］
前記特徴的な震源の波動場及び前記特徴的な受信機の波動場は、複数の予め定義された時間ステップに対して２次の音波方程式伝播モデルを用いて計算される、
第１２の局面に記載のデバイス。
［第１８の局面］
前記特徴的な震源の波動場は、前記特徴的な震源の波動場の前記伝播角度で、他のいかなる角度での絶対振幅よりも大きい絶対振幅を有し、前記特徴的な受振器の波動場は、前記特徴的な受振器の波動場の前記伝播角度で、他のいかなる角度での絶対振幅よりも大きい絶対振幅を有する、
第１２の局面に記載のデバイス。
［第１９の局面］
前記角度間隔は１度、５度、又は１５度である、
第１２の局面に記載のデバイス。
［第２０の局面］
操作を実行するためにコンピュータシステムによって実行可能な命令を格納する、非一時的なコンピュータ読取可能媒体であって、前記操作は：
地震データに基づく震源及び受振器の波動場を計算する操作と；
前記震源及び受振器の波動場から特徴的な震源の波動場及び特徴的な受信機の波動場を計算する操作と；
前記特徴的な震源の波動場及び前記特徴的な受信機の波動場の伝播角度を計算する操作；
前記特徴的な震源の波動場及び前記特徴的な受信機の波動場に波動場分解アルゴリズムを適用して対応する指向性のある震源及び受振器の波動場を取得する操作であって、前記波動場分解アルゴリズムは、前記波動場の伝播角度を中心とする角度間隔で波動場の波動場振幅を分解するアルゴリズムである、操作と；
前記取得した指向性のある震源及び受振器の波動場にイメージ条件を適用することにより、角度ドメイン共通画像ギャザー（ＡＤＣＩＧ）を形成する操作と；を備える、
非一時的なコンピュータ読取可能媒体。